(57)【特許請求の範囲】
【請求項１】
所定対象の画像情報を取得する撮像手段と、
前記対象に関連する項目からなるＩＤ情報を記憶したタグから、当該ＩＤ情報を読み出すＩＤ情報取得手段と、
前記ＩＤ情報を構成する項目と、当該項目を当てはめて表示するフレーム情報とをそれぞれ対応付けて記憶する記憶手段と、
前記読み出されたＩＤ情報のうち表示出力する項目をユーザに選択させる機能を含み、前記読み出されたＩＤ情報の各項目にそれぞれ対応するフレーム情報を前記記憶手段から読み出し、前記ユーザに選択された項目を、前記読み出した該項目に対応するフレーム情報に当てはめて、前記取得された画像情報と共に表示手段によって表示する画像制御手段と
を備えた携帯通信端末。
【請求項２】
前記記憶手段は、楽音情報とその選択条件とを対応付けて記憶し、
前記画像制御手段は、前記選択条件に対応する楽音情報を前記記憶手段から読み出し、当該楽音情報を音声出力すると共に、前記各項目をフレーム情報に当てはめて画像情報と共に表示することを特徴とする請求項１記載の携帯通信端末。
【請求項３】
前記ＩＤ情報取得手段は、前記撮像手段が画像情報を取得したことに応答して前記ＩＤ情報を読み出すことを特徴とする請求項１記載の携帯通信端末。
【請求項４】
前記記憶手段は、ＩＤ情報を読み出すか否かを示すＩＤ取得設定を記憶し、
前記ＩＤ情報取得手段は、前記撮像手段が画像情報を取得したことに応答して前記ＩＤ取得設定を読み出し、ＩＤ情報を読み出す設定の場合に前記ＩＤ情報を読み出すことを特徴とする請求項３記載の携帯通信端末。
【請求項５】
前記撮像手段および前記ＩＤ情報取得手段は、それぞれ所定対象の画像情報およびＩＤ情報を取得すると前記記憶手段に記憶し、
前記画像制御手段は、画像表示指示を受けると、前記記憶手段から画像情報、ＩＤ情報およびフレーム情報を読み出して、前記ユーザに選択された項目を、前記フレーム情報に当てはめて、前記取得された画像情報と共に表示することを特徴とする請求項１記載の携帯通信端末。
【請求項６】
所定対象の画像情報を取得し、
前記対象に関連する項目からなるＩＤ情報を記憶したタグから、当該ＩＤ情報を読み出し、
前記ＩＤ情報を構成する項目と、当該項目を当てはめて表示するフレーム情報とをそれぞれ対応付けて記憶手段に記憶し、
前記読み出されたＩＤ情報のうち表示出力する項目をユーザに選択させ、前記読み出されたＩＤ情報の各項目にそれぞれ対応するフレーム情報を前記記憶手段から読み出し、前記ユーザに選択された項目を、前記読み出した該項目に対応するフレーム情報に当てはめて、前記取得された画像情報と共に表示手段によって表示する
画像表示方法。
【請求項７】
楽音情報とその選択条件とを前記記憶手段に対応付けて記憶し、
前記表示手段によって表示するに際して、前記選択条件に対応する楽音情報を前記記憶手段から読み出し、当該楽音情報を音声出力することを特徴とする請求項６記載の画像表示方法。
【請求項８】
前記ＩＤ情報の読み出しに際して、前記撮像手段が画像情報を取得したことに応答して前記ＩＤ情報を読み出すことを特徴とする請求項６記載の画像表示方法。
【請求項９】
ＩＤ情報を読み出すか否かを示すＩＤ取得設定を記憶する前記記憶手段から、
前記画像情報を取得したことに応答して前記ＩＤ取得設定を読み出し、ＩＤ情報を読み出す設定の場合に前記ＩＤ情報を読み出すことを特徴とする請求項８記載の画像表示方法。
【発明の詳細な説明】
【技術分野】
【０００１】
本発明は、画像取得を行うと共に、無線ＩＣタグに格納された個人情報を取得して、撮像画像と個人情報を共に画面表示する携帯通信端末に関する。
【背景技術】
【０００２】
出会った相手から名前、プロフィール等の情報を取得した際に、少人数であれば個々の相手の名前、プロフィール等を覚えることは可能であるが、一度に大人数の相手から情報を取得した場合は、上述のように記憶することは困難を伴う。また、情報取得の際に相手の情報をメモする、あるいは情報が記載された名刺を交換する等により相手の情報を取得する方法もあるが、メモや名刺交換は時間を要し、またその後の情報整理も繁雑となっていた。さらに、相手が予め所持する、個人情報を記憶した無線ＩＣタグ、すなわちＲＦＩＤ（Radio Frequency Identification）タグからの情報取得も、その後の情報整理が煩雑であるという課題があった。
【０００３】
例えば、特許文献１に開示される携帯電話機とタグつきカードとの連携システムでは、情報を記録したタグを有するタグ付きカードと、このタグから情報を読み込むリーダと読み込んだ情報に基づいて発呼する手段とを有する携帯電話機とを備え、以下のように動作する。データが書き込まれたタグ付き名刺を入手した場合、利用者はタグ付き名刺のＲＦＩＤタグに書き込まれた情報を携帯電話機のリーダで１枚ずつ読み込む。制御部は、リーダが読み込んだ情報を記憶部に保存したり、あるいは保存することなく読み込んだデータの一部である「相手先電話番号」に対して、携帯電話から発呼したりする。
【０００４】
【特許文献１】特開２００５−１６７８０３号
【発明の開示】
【発明が解決しようとする課題】
【０００５】
上記携帯電話機とタグ付きカードとの連携システムでは、相手の個人情報をＲＦＩＤタグから読み出して自動的に発呼する等はできるが、取得した個人情報の整理は煩雑である。
【０００６】
本発明は、上記のような課題を解決するためになされたものであり、相手の個人情報をＲＦＩＤタグから読み出すと共に、その情報の整理、確認をする上で利便性の高い携帯通信端末を提供することを目的とする。
【課題を解決するための手段】
【０００７】
本発明の構成は、所定対象の画像情報を取得する撮像手段と、対象に関連する項目からなるＩＤ情報を記憶したタグから、当該ＩＤ情報を読み出すＩＤ情報取得手段と、ＩＤ情報を構成する項目と、当該項目を当てはめて表示するフレーム情報とをそれぞれ対応付けて記憶する記憶手段と、読み出されたＩＤ情報のうち表示出力する項目をユーザに選択させる機能を含み、前記読み出されたＩＤ情報の各項目にそれぞれ対応するフレーム情報を前記記憶手段から読み出し、前記ユーザに選択された項目を、前記読み出した該項目に対応するフレーム情報に当てはめて、前記取得された画像情報と共に表示手段によって表示する画像制御手段とを備える。
【０００８】
さらに記憶手段は、楽音情報とその選択条件とを対応付けて記憶し、画像制御手段は、前記選択条件に対応する楽音情報を前記記憶手段から読み出し、当該楽音情報を音声出力すると共に、前記各項目をフレーム情報に当てはめて画像情報と共に表示することができる。
【０００９】
また、ＩＤ情報取得手段は、撮像手段が画像情報を取得したことに応答してＩＤ情報を読み出すことができる。さらに、記憶手段は、ＩＤ情報を読み出すか否かを示すＩＤ取得設定を記憶し、ＩＤ情報取得手段は、撮像手段が画像情報を取得したことに応答してＩＤ取得設定を読み出し、ＩＤ情報を読み出す設定になっていた場合にＩＤ情報を読み出すことができる。
【００１０】
また、撮像手段および前記ＩＤ情報取得手段は、それぞれ所定対象の画像情報およびＩＤ情報を取得すると前記記憶手段に記憶し、画像制御手段は、画像表示指示を受けると、記憶手段から画像情報、ＩＤ情報およびフレーム情報を読み出して、前記ユーザに選択された項目を、前記フレーム情報に当てはめて、前記取得された画像情報と共に表示することができる。
【００１１】
本発明の構成は、所定対象の画像情報を取得し、対象に関連する項目からなるＩＤ情報を記憶したタグから、当該ＩＤ情報を読み出し、ＩＤ情報を構成する項目と、当該項目を当てはめて表示するフレーム情報とをそれぞれ対応付けて記憶手段に記憶し、読み出されたＩＤ情報のうち表示出力する項目をユーザに選択させ、読み出されたＩＤ情報の各項目にそれぞれ対応するフレーム情報を記憶手段から読み出し、ユーザに選択された項目を、読み出した該項目に対応するフレーム情報に当てはめて、取得された画像情報と共に表示手段によって表示することができる。
【００１２】
さらに、楽音情報とその選択条件とを記憶手段に対応付けて記憶し、表示手段によって表示するに際して、選択条件に対応する楽音情報を記憶手段から読み出し、当該楽音情報を音声出力することができる。
【発明の効果】
【００１３】
本発明によれば、撮像手段が所定対象の画像情報を取得し、ＩＤ情報取得手段が対象に関連する１または複数の項目からなるＩＤ情報を読み出し、画像制御手段が、読み出したＩＤ情報を、取得した画像情報と共に表示手段に表示するので、個人情報の認識性に優れ、また個人情報の整理、確認を行う上で利用者の利便性も向上するという効果が得られる。
【発明を実施するための最良の形態】
【００１４】
実施の形態１．
次に図面を参照して本発明の実施形態を説明する。図１は本発明の携帯通信端末の構成を示すブロック図である。また、図２は図１に示す構成を持つ携帯通信端末を説明する図であり、（ａ）は正面図、（ｂ）は背面図である。ここでは携帯電話端末として例示しているが、これに限定するものではない。携帯通信端末１００は、撮像機能、ＲＦＩＤリーダ機能を備えた、例えば上部筐体１０と下部筐体２０とがヒンジ３０を介して回動自在に結合された折り畳み型の携帯通信端末であるが、折り畳み型に限定するものではない。
【００１５】
図１に示すように、携帯通信端末１００は、無線部１０１、表示部１０２、操作部１０３、撮像部１０４、音声処理部１０５、受話部１０６、送話部１０７、ＲＦＩＤリーダ１０８、スピーカ部１０９、メモリ１１０、制御部１１１を備える。また図２（ａ），（ｂ）に示すように、表示部１０２は、開いたときに正面側に位置する表示部１０２の他に、背面側の副表示部１１２を備える。上部筐体１０は正面側に受話部１０６、表示部１０２を備え、背面側に撮像部１０４、ＲＦＩＤリーダ１０８、スピーカ部１０９、副表示部１１２を備える。下部筐体２０は正面側に操作部１０３、送話部１０７を備える。また操作部１０３は下部筐体２０の側面にも配設される。
【００１６】
無線部１０１は、アンテナを介して図示しない無線基地局との間で無線信号を送受信する。表示部１０２、副表示部１１２は、文字、画像などの情報の表示出力を行う。操作部１０３は、利用者による撮像操作、入力操作等を行うためのスクロール部、決定ボタン部、テンキーボタン部、サイドボタン部等を含む。
【００１７】
撮像部１０４は、画像情報の取得（撮像）を行う。音声処理部１０５は送話および受話音声に対する音声信号処理を行い、受話部１０６および送話部１０７は音声処理部１０５に対して音声の出力および入力を行う。ＲＦＩＤリーダ１０８は、所定空間、所定距離以内に存在する、アンテナコイル、メモリ等で構成されたＲＦＩＤタグから情報を読み出す。スピーカ１０９は、楽音、報知音などを出力する。メモリ１１０は、電話帳情報、送受信メール情報、発着呼情報、コンテンツ情報、プログラム情報、画像情報、携帯電話端末の各種設定、およびＲＦＩＤリーダ１０８を介した情報取得を行うか否かの設定や、取得した情報の出力形態等を格納する（詳細は後述する）。制御部１１１は、電話、メール、ｗｅｂ接続（インターネット）、撮像（カメラ）、ＲＦＩＤリーダ等の各種機能および携帯通信端末１００各部の制御を行う。
【００１８】
次に、本発明の一実施形態による携帯通信端末の動作について説明する。図３は、携帯通信端末の制御部１１１の動作を説明するフローチャートである。ここでは、携帯通信端末の利用者によって、ＲＦＩＤタグを持つ近傍者から情報を取得する場合について説明する。ＲＦＩＤタグには、例えば会社名、役職、住所、氏名、電話番号、メールアドレス、血液型、星座、性別、趣味等、所持者本人、または所持者の所属するグループ等により、任意に選択された情報（以下、ＩＤ情報と称する）が予めＩＣタグライタ等により書き込まれている。
【００１９】
携帯通信端末１００の制御部１１１は、利用者により操作部１０３が操作されて、撮像部１０４により画像情報が取得されたことを検知すると（ステップＳ１）、メモリ１１０からＩＤ取得設定を読み出す。ここで、メモリ１１０には、撮像動作と共にＲＦＩＤリーダ１０８によるＩＤ情報の取得を行うか否かの設定としてＩＤ取得設定（有効／無効）が格納される。制御部１１１はこれを読み出して、ＩＤ情報の読み出しを行うか否かを判断する（ステップＳ２）。ＩＤ取得設定が「無効」に設定されている場合はそのまま処理を終了する。一方、ＩＤ取得設定が「有効」に設定されている場合は、制御部１１１はＲＦＩＤリーダ１０８にＲＦＩＤタグの読み出しを指示する。ＲＦＩＤリーダ１０８は上記指示に応答して携帯通信端末１００近傍の撮像方向のＲＦＩＤタグからＩＤ情報を取得する（ステップＳ３）。
【００２０】
続いて、制御部１１１はＲＦＩＤリーダ１０８を介して取得したＩＤ情報を解析し、その出力形態を、メモリ１１０に格納される出力情報を参照して決定する（ステップＳ４）。ここで、メモリ１１０にはＩＤ情報の出力形態に関する情報が格納される。図４は、ＩＤ情報を構成する各項目に対応する表示形態を示す図であり、各項目を表示する際のフレーム情報およびフレーム情報の選択条件（表示出力する項目）を示す。ここでは、会社名、役職、氏名に対応するフレーム情報と、血液型、星座、性別に対応するフレーム情報が示される。このように、メモリ１１０にはＩＤ情報の選択条件に応じたフレーム情報が関連付けて格納されている。
【００２１】
制御部１１１は、ＲＦＩＤリーダ１０８を介して取得したＩＤ情報と、メモリ１１０内の選択条件とを比較して、ＩＤ情報の各項目に対応するフレーム情報を選択する（ステップＳ５）。例えば、ここではＩＤ情報として会社名、役職、氏名、性別が読み出されたとすると、それらに対応するフレーム情報をメモリ１１０から選択する。続いて、制御部１１１は取得したＩＤ情報のうち表示出力する項目をユーザに選択させる（ステップＳ６）。例えば、ユーザに対してＩＤ情報一覧を提示し、それらの中から選択させるようにしてもよい。ここでは会社名、役職、氏名が出力項目として選択されたとする。
【００２２】
続いて制御部１１１は、選択された出力項目を対応するフレームに当てはめて、撮像画像と共に表示部１０２に表示出力する（ステップＳ７）。図５は、表示出力例を示す図である。図に示すように、撮像画像Ａと共に、会社名、役職、氏名の各項目Ｂを、対応するフレームＣ内に表示する。
【００２３】
以上のように、この発明の実施の形態１によれば、画像撮像動作をトリガーとして、ＲＦＩＤリーダ１０８がＲＦＩＤタグを持つ近傍者から個人情報を取得し、制御部１１１がその情報に対応する表示形態で撮像画像と共に表示部１０２に表示出力するようにしたので、個人情報の認識性に優れ、また個人情報の整理、確認を行う上で利用者の利便性も向上するという効果が得られる。
実施の形態２．
上記実施の形態１では、ＩＤ情報の表示出力を撮像部１０４による撮像画像の取得時に行うことを説明したが、この実施の形態２では、撮像画像の取得時以外の出力、またＩＤ情報以外の出力について説明する。
【００２４】
例えば、メモリ１１０に格納された撮像画像を読み出して表示部１０２に表示させる場合にＩＤ情報も表示させてもよい。この場合、画像撮像時に撮像画像と共に取得したＩＤ情報をメモリ１１０に格納しておく。図６は、メモリ１１０から読み出した撮像画像にＩＤ情報を合成して表示出力する動作を示すフローチャートである。
【００２５】
制御部１１は、利用者により操作部１０３から撮像画像の表示出力の指示を受けると（ステップＳ１１）、指示された撮像画像をメモリ１１０から読み出す（ステップＳ１２）。このとき、当該撮像画像に対応するＩＤ情報を表示出力するようにメモリ１１０に出力情報が設定されているか否かを判断し（ステップＳ１３）、設定されていない場合は撮像画像を表示部１０２に表示して処理を終了する。設定されている場合は出力するＩＤ情報をユーザに選択させると共に、その各項目に対応するフレーム情報を読み出し（ステップＳ１４）、各項目をフレームに当てはめ、撮像画像と共に表示部１０２に表示出力する（ステップＳ１５）。
【００２６】
また、図６のように撮像画像と共にＩＤ情報を表示出力するだけでなく、楽音情報も併せて出力するようにしてもよい。この場合、図４に示したような出力形態に関する情報と同様に、楽音情報とその選択条件を予めメモリ１１０に格納しておく。図７は、メモリ１１０から読み出した撮像画像にＩＤ情報と楽音情報とを出力する動作を示すフローチャートである。
【００２７】
図６の場合と同様に、制御部１１は、利用者により操作部１０３から撮像画像の表示出力の指示を受けると（ステップＳ２１）、指示された撮像画像をメモリ１１０から読み出す（ステップＳ２２）。このとき、当該撮像画像に対応するＩＤ情報を表示出力するようにメモリ１１０に出力情報が設定されているか否かを判断し（ステップＳ２３）、設定されている場合は出力するＩＤ情報をユーザに選択させると共に、その各項目に対応するフレーム情報を読み出す（ステップＳ２４）。さらに、楽音情報の選択条件を検索し、選択条件に対応する楽音情報を抽出する（ステップＳ２５）。続いて、ＩＤ情報の各項目をフレームに当てはめて撮像画像と共に表示部１０２に表示出力すると共に、抽出した楽音情報をスピーカ部１０９から出力する（ステップＳ２６）。
【００２８】
以上のようにこの実施の形態２によれば、画像撮像時以外、例えば撮像画像をメモリ１１０から読み出したときにも制御部１１１が対応するＩＤ情報を共に表示し、また対応する楽音情報も出力するようにしたので、さらに個人情報の認識性に優れるという効果が得られる。
【００２９】
なお、上記実施の形態では、ＩＤ情報を撮像画像と共に出力表示するとしたが、これは両者を併せて表示してもよいし、両者を交互に表示してもよい。また、ユーザによるボタン切り替え操作等に応じて表示するＩＤ情報の項目が切り替わるようにしてもよい。さらに、出力形態としてＩＤ情報をフレーム内に表示するほか、文字の色、フォント、強調形態等を変化させるようにしてもよい。また、アンダーラインを引いたり、対応するマークと共に表示したりしてもよい。
【図面の簡単な説明】
【００３０】
【図１】本発明の携帯通信端末の構成を示すブロック図である。
【図２】携帯通信端末の正面図および背面図である。
【図３】携帯通信端末の制御部の動作を説明するフローチャートである。
【図４】ＩＤ情報を構成する各項目に対応する表示形態を示す図である。
【図５】表示出力例を示す図である。
【図６】メモリから読み出した撮像画像と共にＩＤ情報を表示出力する動作を示すフローチャートである。
【図７】メモリから読み出した撮像画像とＩＤ情報と併せて楽音情報を出力する動作を示すフローチャートである。
【符号の説明】
【００３１】
１００  携帯通信端末
１０１  無線部
１０２  表示部
１０３  操作部
１０４  撮像部
１０５  音声処理部
１０６  受話部
１０７  送話部
１０８  ＲＦＩＤリーダ
１０９  スピーカ部
１１０  メモリ
１１１  制御部
【図１】
0004654843.tif 000002
【図２】
0004654843.tif 000003
【図３】
0004654843.tif 000004
【図４】
0004654843.tif 000005
【図５】
0004654843.tif 000006
【図６】
0004654843.tif 000007
【図７】
0004654843.tif 000008